(57)【要約】【課題】本発明は、デジタル放送選局装置において、より少ないコストでユーザーのチャンネル操作に対する応答性を高めるデジタル放送選局装置を提供することを目的とする。【解決手段】複数のＴＳ再生部１０と、複数のＴＳ処理部１１と、バッファ１２と、復号部１３と、選択部１４と、操作記憶部１６を有するチャンネル番号選択予測部１５と、制御部１７とを備え、制御部１７は、ユーザーが選択したチャンネル番号の復号に用いていないＴＳ再生部１０およびＴＳ処理部１１と、復号部１３に対して、当該チャンネル番号選択予測部が予測するチャンネル番号の番組の復号を開始する制御と、ユーザーが選択中のチャンネル番号に対する選択部１４への出力内容制御とを行うことにより上記課題を解決する。【選択図】図１
2008099123.tif 000002
【特許請求の範囲】
【請求項１】
チューナー部と復調部とを有する複数のＴＳ再生部と、再生されたＴＳパケットに対する処理を行う複数のＴＳ処理部と、再生されたＴＳ内に含まれる映像及び音声信号の復号のために用いられるバッファと、前記バッファ内のデータに対して復号処理を行う復号部と、複数の復号された映像の中からユーザーが指定したチャンネル番号の映像を出力する選択部と、次のユーザーのチャンネル番号選択操作を予測する手段を有するチャンネル番号選択予測部と、制御部を備え、
前記チャンネル番号選択予測部は、過去のチャンネル選択情報を記憶する操作記憶部を有し、
前記制御部は、ユーザーが選択したチャンネル番号の復号に用いていないＴＳ再生部およびＴＳ処理部と、復号部に対して、前記チャンネル番号選択予測部が予測するチャンネル番号の番組の復号を開始する制御と、ユーザーが選択中のチャンネル番号に対する前記選択部への出力内容制御とを行うことを特徴とするデジタル放送選局装置。
【請求項２】
請求項１に記載のデジタル放送選局装置において、前記チャンネル番号選択予測部におけるチャンネル番号の予測は、チャンネル番号を増加させる操作により現在選択中のチャンネルが選択された場合は、現在選択中のチャンネル番号に比べて１つ大きい番号を予測チャンネル番号の候補とし、チャンネル番号を減少させる操作により現在選択中のチャンネルが選択された場合は、現在選択中のチャンネル番号に比べて１つ小さい番号を予測チャネル番号の候補とすることにより行うことを特徴とするデジタル放送選局装置。
【請求項３】
請求項２に記載のデジタル放送選局装置において、ユーザーがチャンネル番号の増加又は減少操作をさせるボタンを長時間押している場合にチャンネル番号を連続的に増加方向もしくは減少方向に選択する操作であると判断し、ユーザーが映像を確認するのに適当なある一定以上の時間を空けて出力内容制御を行うタイミングにあわせて前記チャンネル番号選択予測部におけるチャンネル番号の予測を行うことを特徴とするデジタル放送選局装置。
【請求項４】
請求項１に記載のデジタル放送選局装置において、前記チャンネル番号選択予測部におけるチャンネルの予測は、チャンネル番号を直接指定する操作により現在選択中のチャンネルが選択された場合で、現在選択中のチャンネル番号が前記操作記録部に記録されている前回の選択チャンネル番号と同一でない場合、現在選択中のチャンネル番号と同一のチャンネル番号の次に選択したチャンネル番号を前記操作記録部から検索し、当該チャンネル番号を予測チャンネル番号の候補とすることにより行うことを特徴とするデジタル放送選局装置。
【請求項５】
請求項２又は請求項４に記載のデジタル放送選局装置において、各チャンネル番号に対して選択可能又は不可能を示すチャンネル選択表を備え、前記チャンネル番号選択予測部は、前記チャンネル選択表中の選択不可能なチャンネル番号が、予測チャンネル番号の候補とされた場合、該予測チャンネル番号を現在選択中のチャンネル番号と仮定して、チャンネル番号の予測を再び行うことを特徴とするデジタル放送選局装置。
【発明の詳細な説明】
【技術分野】
【０００１】
本発明は、デジタル放送選局装置に関し、特に、より少ないコストでユーザーのチャンネル操作に対する応答性を高めるデジタル放送選局装置に関する。
【背景技術】
【０００２】
デジタル放送の選局に関して、ユーザーがチャンネル変更の操作を行ってから映像が出力されるまでには復調部におけるデインターリーブ処理および復号部におけるＭＰＥＧ映像データの復号処理などによる遅延が発生する。この遅延はユーザーにとって好ましいものではなく、この問題を解決する技術として特許文献１にはチューナー部、復調部を複数設けることで、複数のチャンネルに対して常に同時に処理を行っておくことで、チャンネル変更の操作への見かけ上の応答性を改善する技術が提案されている。
【特許文献１】特開２００４−３３６５１８号公報
【発明の開示】
【発明が解決しようとする課題】
【０００３】
特許文献１に記載の発明では、チューナー部、復調部が多数ある場合には応答性を改善する条件が整いやすい。つまりユーザーが選択するチャンネルに対する処理を予め実施できる可能性が高かったが、現実のデジタル放送受信機の製品としてはチャンネル操作の応答性改善だけのために多くのチューナー部および復調部を設けることはコストパフォーマンスとして許容しがたく、現実的な構成として２つのチューナー部および復調部という構成を考慮すると、応答性の改善が期待できる条件は非常に限られたものとなってしまう。
【０００４】
本発明は、デジタル放送選局装置において、より少ないコストでユーザーのチャンネル操作に対する応答性を高める、デジタル放送選局装置を提供することを目的とする。
【課題を解決するための手段】
【０００５】
上記目的を達成するため、本発明のデジタル放送選局装置は、チューナー部と復調部とを有する複数のＴＳ再生部と、再生されたＴＳパケットに対する処理を行う複数のＴＳ処理部と、再生されたＴＳ内に含まれる映像及び音声信号の復号のために用いられるバッファと、前記バッファ内のデータに対して復号処理を行う復号部と、複数の復号された映像の中からユーザーが指定したチャンネル番号の映像を出力する選択部と、次のユーザーのチャンネル番号選択操作を予測する手段を有するチャンネル番号選択予測部と、制御部を備え、前記チャンネル番号選択予測部は、過去のチャンネル選択情報を記憶する操作記憶部を有し、前記制御部は、ユーザーが選択したチャンネル番号の復号に用いていないＴＳ再生部およびＴＳ処理部と、復号部に対して、前記チャンネル番号選択予測部が予測するチャンネル番号の番組の復号を開始する制御と、ユーザーが選択中のチャンネル番号に対する前記選択部への出力内容制御とを行うことを特徴とする。
【０００６】
さらに、本発明のデジタル放送選局装置は、前記チャンネル番号選択予測部におけるチャンネル番号の予測は、チャンネル番号を増加させる操作により現在選択中のチャンネルが選択された場合は、現在選択中のチャンネル番号に比べて１つ大きい番号を予測チャンネル番号の候補とし、チャンネル番号を減少させる操作により現在選択中のチャンネルが選択された場合は、現在選択中のチャンネル番号に比べて１つ小さい番号を予測チャネル番号の候補とすることにより行うことを特徴とする。さらに、本発明のデジタル放送選局装置は、ユーザーがチャンネル番号の増加又は減少操作をさせるボタンを長時間押している場合にチャンネル番号を連続的に増加方向もしくは減少方向に選択する操作であると判断し、ユーザーが映像を確認するのに適当なある一定以上の時間を空けて出力内容制御を行うタイミングにあわせて前記チャンネル番号選択予測部におけるチャンネル番号の予測を行うことを特徴とする。さらに、本発明のデジタル放送選局装置は、前記チャンネル番号選択予測部におけるチャンネルの予測は、チャンネル番号を直接指定する操作により現在選択中のチャンネルが選択された場合で、現在選択中のチャンネル番号が前記操作記録部に記録されている前回の選択チャンネル番号と同一でない場合、現在選択中のチャンネル番号と同一のチャンネル番号の次に選択したチャンネル番号を前記操作記録部から検索し、当該チャンネル番号を予測チャンネル番号の候補とすることにより行うことを特徴とする。さらに、本発明のデジタル放送選局装置は、各チャンネル番号に対して選択可能又は不可能を示すチャンネル選択表を備え、前記チャンネル番号選択予測部は、前記チャンネル選択表中の選択不可能なチャンネル番号が、予測チャンネル番号の候補とされた場合、該予測チャンネル番号を現在選択中のチャンネル番号と仮定して、チャンネル番号の予測を再び行うことを特徴とする。
【発明の効果】
【０００７】
本発明によれば、より少ないコストでユーザーのチャンネル操作に対する応答性を高めることができる。
【発明を実施するための最良の形態】
【０００８】
本発明を実施するための最良の形態を説明する。
【０００９】
図１は本発明によるデジタル放送選局装置の一形態を示すブロック図である。ＴＳ（トランスポートストリーム）再生部１０およびＴＳ処理部１１を第１〜第ＮまでＮ個ずつ有するものとする。ＴＳ再生部１０はチューナー部２、復調部３を有する。ＴＳ処理部１１は再生されたＴＳから所望の映像及び音声信号を復号処理用のバッファに格納するなどのＴＳパケットに対する処理を行う。再生されたＴＳ内に含まれる映像及び音声信号の復号に使用するバッファ１２についてはＮ個の領域が用意されるのであれば、メモリの個数は任意でよい。この例では１つのメモリにＮ個のバッファが用意されているものとする。復号部１３についてはＮ個のバッファ内のデータに対して時分割で処理するのがコスト面からは望ましいが、各バッファに対して一つずつ設けても構わない。この例においては時分割で処理を行うものとする。
【００１０】
選択部１４は、複数の復号された映像の中からユーザーが指定したチャンネル番号の映像を出力する。チャンネル番号選択予測部１５は、過去のチャンネル選択情報を記憶する操作記憶部１６を有し、ユーザーのチャンネル番号選択操作によって映像を選択する際に、次のユーザーのチャンネル番号選択操作を予測する。チャンネル選択表１８は、各チャンネル番号に対して選択可能又は不可能を示すチャンネル選択表である。ここで、選択不可能であるとは、例えば、なんらかの事情でチャンネル番号の放送を視聴できない場合等のチャンネル番号が上げられる。
【００１１】
制御部１７にはユーザーのチャンネル操作によって、チャンネル番号２０が入力される。制御部１７には、一般的なデジタル放送受信のための機能として、チャンネル番号によってチューナーに設定すべき受信周波数を選択する手段およびＴＳ処理部１１において所望のＴＳパケットを特定する手段、復号し出力するべきタイミングを管理する手段などを備えている。例えば、第１のＴＳ再生部１０−１および第１のＴＳ処理部１１−１を用いる場合には、制御部１７は第１のＴＳ再生部１０−１に対して復調すべき周波数を指示し、第１のＴＳ処理部１１−１に対して再生されたＴＳ信号から番組などの情報を得るおよび複合すべき映像及び音声データをバッファ１２に格納させるための制御を行い、復号部１３に対して所望のタイミングで出力するための制御を行い、選択部１４に対しては第１のＴＳ再生部１０−１および第１のＴＳ処理部１１−１による映像及び音声出力のうちチャンネル番号に対応する映像及び音声を選択する指示を行う事で、チャンネル番号２０に対応する映像及び音声出力を得る。これにより、ユーザーが指定したチャンネル番号２０に対する処理が第１のＴＳ再生部１０−１および第１のＴＳ処理部１１−１を用いて行われている事になる。
【００１２】
そして、例えばＮ＝２の場合、第２のＴＳ再生部１０−２および第２のＴＳ処理部１０−２が未使用の状態になる。そこで、制御部１７はユーザーの指示とは別にチャンネル番号選択予測部１５からの予測されたチャンネル番号の入力にしたがって、第２のＴＳ再生部１０−２および第２のＴＳ処理部１１−２に対して第１のＴＳ再生部１０−１および第１のＴＳ処理部１１−１と同様の制御を行うこととする。更に復号部１３に対しては第１のＴＳ処理部１０−１からのデータにするのと同様の処理を、第２のＴＳ処理部１１−２からのデータに対しても時分割で行うよう制御する。この状態において、チャンネル番号選択予測部１５から出力されているチャンネル番号の映像及び音声については即座に出力が可能な状態にあり、ユーザーが次にこのチャンネルを選択した場合には、選択部１４に対して切り替えの制御を行うだけで出力が切り替わる。
【００１３】
この場合、今度は第１のＴＳ再生部１０−１および第１のＴＳ処理部１１−１の方が未使用の状態となるため、第２のＴＳ再生部１０−２および第２のＴＳ処理部１１−２で実施したのと同様の制御を、チャンネル番号選択予測部１５が出力する新たなチャンネル番号を元に第１のＴＳ再生部１０−１および第１のＴＳ処理部１１−１に対して実施する。
【００１４】
次にチャンネル番号選択予測部１５の動作について以下に説明する。ユーザーのチャンネル操作は制御部１７に入力されるのと同時にチャンネル番号選択予測部１５にも入力される。チャンネル番号選択予測部１５には操作記憶部１６を有する。操作記憶部１６では、これまでのチャンネル切り替えに関する操作の履歴が格納される。
【００１５】
図４は本発明による操作記憶部１６の構成例を示す。操作の履歴は図４に示す２つのテーブルに分けて格納される。一つは操作履歴テーブル５１で前回のユーザーの操作履歴を記憶する。またもう一つは操作予測テーブル５２で、ユーザーが操作した順序を記憶しておく。例えば、図４の操作予測テーブル５２では、チャンネル番号「１」の次は「１２」を、「２」の次は「３」を、「３」の次は「４」を、「４」の次は「６」を選択していたことになる。
【００１６】
予測のステップは図２および図３に示す。図２は本発明による予測処理手順の一形態を示すフローチャートであり、このうち操作履歴による予測の部分（Ｓ２０５）について詳細を図３に示している。全体の流れはおおまかに２つに分かれる。ユーザーの操作がチャンネル番号の増加又は減少操作によるものか、それともチャンネル番号を直接指定するものであるかで区別される。チャンネル番号の増加又は減少操作は、段階的にチャンネルを増やす又は減らす操作方法による操作で、例えば、チャンネルアップキーやダウンキーによる操作等が上げられる。一方、チャンネル番号を直接指定する操作は、直接チャンネル番号を何らかの方法で入力して、チャンネルを指定する操作で、例えば、チャンネル番号の番号キーを直接押す操作が上げられる。まずチャンネル番号の増加又は減少操作の場合について説明する。
【００１７】
図２に示すように、まず出力すべき候補番号はユーザー操作により出力が開始されたチャンネル番号とする（Ｓ２０２）。このとき、チャンネル番号増加の操作によるものであった場合、先ほど候補番号としたものに１を加えたものを新しい候補番号とする（Ｓ２０６）。この新しい候補番号についてチャンネル選択表により選択可能かどうかつまり候補番号は有効であるかどうかを判断し（Ｓ２０８）、候補番号が有効であればその番号を候補として確定し予測終了とする（Ｓ２０９、Ｓ２１０）。しかし、候補番号が無効である場合には、更に１を加えた番号を候補番号として判断を繰り返すこととする（Ｓ２０８、Ｓ２０６）。チャンネル番号の減少操作に対する処理も増加操作と同様で、異なるのは候補番号として１を加えていたものを１減らす処理にする事のみである（Ｓ２０４）。
【００１８】
また、チャンネル番号の増加又は減少操作に係るボタンを長押しする場合、当該ボタンを長押ししている間は連続的にチャンネル番号を増加もしくは減少させる操作であると判断し、次々にチャンネル番号を更新していく間隔を適当に決めて動作させることが可能となる。このとき、ユーザーが映像を確認するのに適当なある一定以上の時間を空けて出力内容制御を行うタイミングにあわせてチャンネル番号選択予測部１５におけるチャンネル番号の予測を行うことができる。
【００１９】
次にチャンネル番号を直接指定する操作であった場合（Ｓ２０３、Ｓ２０５）について説明する。この場合は図３に示す操作履歴を用いた予測を行う。まずはユーザーの操作により出力が開始されたチャンネルの番号を現番号とする（Ｓ３０２）。この番号が操作履歴テーブルに記憶されている前回選択番号と同一であった場合には新たな予測は行わずに候補なしとして終了する（Ｓ３０３、Ｓ３１１）。
【００２０】
前回選択番号と変わった場合には、まず現番号を候補番号とする（Ｓ３０４）。次にこの候補番号に相当する欄を操作予測テーブルのチャンネル番号を用いて検索し、新しい候補番号を得る（Ｓ３０５）。例えば図４の場合、前回選択番号は「３」であるため操作予測はチャンネル番号「３」を検索し、「４」を候補番号として得る。次にこの候補番号に対して、チャンネル選択表から有効か無効かを判断し（Ｓ３０７）、有効であれば候補番号として確定する。無効である場合には操作予測テーブルを再検索する（Ｓ３０７）。今の例では「４」が候補番号となっているので「６」が新しい候補番号となる。ただし、この再検索において候補番号が現番号と同じになった場合には、候補なしとして終了する（Ｓ３０６、Ｓ３１１）。新しい候補が見つけられた場合には、操作履歴テーブルの前回操作番号を現番号で上書きしておき（Ｓ３０８、Ｓ３０９）、候補番号を出力して予測を終了する（Ｓ３１１）。
【００２１】
以上のように、本発明は、次のユーザーのチャンネル番号選択操作を予測することにより、ＴＳ再生部１０およびＴＳ処理部１１は、最低で２つから実現可能であるので、より少ないコストでユーザーのチャンネル操作に対する応答性を高めることが可能である。
【００２２】
また、上記実施例は、Ｎ＝２のときについて、説明したが、これ以外に、Ｎ＝３以上である場合も実現可能である。この場合、上述の処理が行われていない、余ったＴＳ再生部１０およびＴＳ処理部１１は、さらに、別の予測によるチャンネル番号の処理をすることも可能となる。
【図面の簡単な説明】
【００２３】
【図１】本発明によるデジタル放送選局装置の一形態を示すブロック図。
【図２】本発明による予測処理手順の一形態を示すフローチャート。
【図３】本発明よるチャンネル操作履歴を用いた予測処理全体の手順の一形態を示すフローチャート。
【図４】本発明による操作記憶部の構成例
【符号の説明】
【００２４】
２    チューナー部
３    復調部
１０  ＴＳ再生部（１０−１  第１のＴＳ再生部・・・１０−Ｎ  第ＮのＴＳ再生部）
１１  ＴＳ処理部（１１−１  第１のＴＳ処理部・・・１１−Ｎ  第ＮのＴＳ処理部）
１２  バッファ
１３  複号部
１４  選択部
１５  チャンネル番号選択予測部
１６  操作記憶部
１７  制御部
１８  チャンネル選択表
１９  アンテナ
２０  チャンネル番号
５１  操作履歴テーブル
５２  操作予測テーブル
【図１】
2008099123.tif 000003
【図２】
2008099123.tif 000004
【図３】
2008099123.tif 000005
【図４】
2008099123.tif 000006